(57)【要約】【課題】種々の受光部を有する受光装置が市販されている。例えば、リモコンによって遠隔操作される装置はリモコンからの赤外線を受光する受光部を有する。また、周囲の明るさに応じて表示部の明るさを自動的に調整する装置は周囲の明るさを検出する受光部を有する。しかしながら、受光装置の受光口は露出していなければならず、意匠上の制約を受ける。そこで、本願発明の課題は、違和感無く受光口を設けることにある。【解決手段】スピーカと、該スピーカの前方に整列して設けられた孔の孔群を有するパネルを備えた受光装置において、前記孔群を延在させ、延在された孔群の後方に受光部を配設する。【選択図】　　　図６
2004022663.tif 000002
【特許請求の範囲】
【請求項１】
スピーカと、該スピーカの前方に整列して設けられた孔の孔群を有するパネルを備えた受光装置において、
前記孔群を延在させ、延在された孔群の後方に受光部を配設したことを特徴とする受光装置。
【請求項２】
前記パネルと前記受光部との間に設けられ、前記延在された孔群に嵌入し入光を前記受光部に導く導光部を備えたことを特徴とする請求項１に記載の受光装置。
【発明の詳細な説明】
【０００１】
【発明の属する技術分野】
本発明は、スピーカを有する受光装置に関する。
【０００２】
【従来の技術】
現在、種々の受光部を有する受光装置が市販されている。例えば、リモートコントロール装置（以下リモコンという）によって遠隔操作される装置はリモコンからの赤外線を受光する受光部を有する。また、周囲の明るさに応じて表示部の明るさを自動的に調整する装置は周囲の明るさを検出する受光部を有する。
【０００３】
【発明が解決しようとする課題】
しかしながら、受光装置の受光口は露出していなければならず、意匠上の制約を受ける。また、違和感が生じないように受光口を小さくしようとすると、受光の感度が低下したり、指向性が悪くなったりする。
【０００４】
【課題を解決するための手段】
本発明の携帯電話装置はかかる点に鑑みなされたもので、スピーカと、該スピーカの前方に整列して設けられた孔の孔群を有するパネルを備えた受光装置において、前記孔群を延在させ、延在された孔群の後方に受光部を配設する。
【０００５】
また、前記パネルと前記受光部との間に設けられ、前記延在された孔群に嵌入し入光を前記受光部に導く導光部を備える。
【０００６】
【発明の実施の形態】
本発明の実施の形態を図面に基づき説明する。実施の形態の受光装置はリモコンで遠隔され、周囲の明るさに応じて自動的に表示部の明るさが変更されるナビゲーション装置である。図１はこのナビゲーション装置の平面図であり、図２は要部の構成を示すブロック図である。
【０００７】
図１に示す如く、ナビゲーション装置は本体（１）と、内部電源・操作部（２）と、リモコン（３）の３体から成る。
【０００８】
図２に示す如く、本体（１）はＲＯＭ（１２）に書き込まれたプログラムに基づいて各部を制御する制御回路（１１）と、制御回路（１１）の動作に必要な情報を記憶するＲＡＭ（１３）を有する。そして、ＧＰＳ衛星からの電波を受信して現在位置を測定し、測定データを制御回路（１）に出力するＧＰＳ（Ｇｌｏｂａｌ　Ｐｏｓｉｔｉｏｎｉｎｇ　Ｓｙｓｔｅｍ）測位手段（１４）と、地図情報が書き込まれたＤＶＤあるいはＣＤ−ＲＯＭから地図情報を読み取るディスク再生手段（１５）を有する。そして、経路案内の音声を発する左右のスピーカ（１６）（１７）と、地図情報や現在位置を制御回路（１）の制御に基づき表示するバックライト付きの液晶の表示部（１８）と、本体の電源供給をＯＮ／ＯＦＦ操作する電源スイッチのサブ入力部（１９）を有する。そして、リモコン（３）からの送信信号を受信するリモコン受光部（２０）と、周囲の明るさを検出するフォトセンサーからなる光度検出部（２１）を有する。制御手段（１１）は光度検出部（２１）から出力される光の強度に基づいて、表示部（１８）のバックライトを調節する。たとえば、車両がトンネルに入れば、バックライトを弱くする。
【０００９】
そして、内部電源・操作部（２）を接続する内部電源・操作部接続部（２２）と、車両のシガーライター端子あるいは家庭の商用電源用アダプタと接続する外部電源接続部（２３）を有する。
【００１０】
リモコン（３）はナビゲーション装置の主たる操作を行うメイン入力部（２７）とその操作信号を送信するリモコン発光部（２８）を有する。メイン入力部（２７）が行う主たる操作とは、図１に示すキーのように、ナビゲーションモードとＣＤ／ＤＶＤの切り替え、ＣＤ／ＤＶＤの再生制御、音量調整、カーソル移動、操作の戻り（ＵＮＤＯ）、画面分割、鳥瞰表示などである。
【００１１】
内部電源・操作部（２）はリモコン（３）のメイン入力部（２７）と同じ操作を行うメイン入力部（２５）と、充電式の二次電池（２４）と、本体（１）の内部電源・操作部接続部（２３）に接続されメイン入力部（２５）の操作信号の出力と二次電池（２４）の電源供給を行う本体接続部（２６）を有する。
【００１２】
図３はナビゲーション装置が携帯されないとき、例えば、車両に搭載されたときの使用状態を示す平面図である。本体（１）には内部電源・操作部（２）が接続されない。外部電源接続部（２３）に車両のシガーライター端子が接続され、本体（１）の電源は車両から供給される。本体（１）の主たる操作はリモコン（３）によって行われる。
【００１３】
図４はナビゲーション装置が携帯されるときの使用状態を示す平面図であり、図５は側面の部分断面図である。本体（１）の内部電源・操作部接続部（２２）に内部電源・操作部（２）が接続され、リモコン（３）は使用されない。これにより、本体（１）の電源は内部電源・操作部（２）の二次電池（２４）から供給され、本体（１）の主たる操作は内部電源・操作部（２）のメイン入力部（２５）によって行われる。
【００１４】
図６はスピーカが配設される部分の要部の構成を示す正面断面図であり、図７は光度検出部（２１）の側面断面図である。図６において、左右のスピーカ（１６）（１７）の前方のパネル（１００）には、図１に示す如く、夫々マトリクス状に整列した孔群（１００ａ）（１００ｂ）を有する。この孔群（１００ａ）（１００ｂ）はスピーカ部より中央部に延在する。この一方の延在部の後方に光度検出部（２１）が、他方の延在部の後方にリモコン受光部（２０）が配設される。リモコン受光部（２０）と光度検出部（２１）の前方にはアクリル樹脂等の透明な材質で成型された導光部（１０１）を備える。導光部（１０１）は複数の円柱形の凸部を有し、その凸部が前記延在部の孔に嵌入して孔を埋め、受光の指向性を向上させている。また、導光部（１０１）の側面（１０１ａ）は全反射しやすいように斜めにカットされており、感度が高くなるようになっている。
【００１５】
尚、上述の受光装置はナビゲーション装置であったが、本発明はナビゲーション装置に限定するものではなく、受光部とスピーカを有する装置に適応させることができる。
【００１６】
【発明の効果】
上述の如く、本願発明は、スピーカの前方に設けられた複数の孔群を延在し、延在させた孔の後方に受光部を設けたものである。したがって、意匠的に違和感無く受光部用の孔を設けることができる。
【００１７】
また、複数の孔に嵌入して受光を前記受光部に導く導光部を備え、受光の指向性と感度を向上させることができる。
【図面の簡単な説明】
【図１】本発明の実施例の主要な構成を示すブロック図である。
【図２】本発明の構成を示す平面図である。
【図３】携帯されないときの使用状態を示す平面図である。
【図４】携帯されるときの使用状態を示す平面図である。
【図５】携帯されるときの使用状態を示す側面断面図である。
【図６】スピーカが配設される部分の要部の構成を示す正面断面図である。
【図７】光度検出部近傍の要部の構成を示す側面断面図である。
【符号の説明】
１　本体
２　内部電源・操作部
３　リモコン
１１　制御回路
１６　スピーカ（装置からみて右側）
１７　スピーカ（装置からみて左側）
２０　リモコン受光部
２１　光度検出部
１００　パネル
１００ａ　孔群（装置からみて右側）
１００ｂ　孔群（装置からみて左側）
１００　導光部
【図１】
2004022663.tif 000003
【図２】
2004022663.tif 000004
【図３】
2004022663.tif 000005
【図４】
2004022663.tif 000006
【図５】
2004022663.tif 000007
【図６】
2004022663.tif 000008
【図７】
2004022663.tif 000009